(57)【要約】【課題】集塵性能に優れた電気掃除機を提供する。【解決手段】吸引風を生成する電動送風機（図示せず）を内蔵する掃除機本体２０と、塵埃を捕集する集塵容器２７と、集塵容器２７に形成され集塵容器２７内に含塵空気を吸引するための連通穴３３とを有し、連通穴３３から集塵容器２７内部に吸引された含塵空気から大きな塵埃を除去する薄板状の粗塵フィルター３６を上流側に、小さな塵埃を除去する細塵フィルター３８を下流側にそれぞれ備え、粗塵フィルター３６に、集塵容器２７内部に延出される凸部５３を形成したもので、凸部５３によって粗塵フィルター３６の開口面積が大きくなり、目詰まりがし難くなり、粗塵フィルター３６の通気性を従来より長く維持することが可能となる。また、集塵容器２７の内容量を有効に利用できるようになり、集塵容器２７の小型化、ひいては、電気掃除機本体の小型化が可能となる。【選択図】図２
2016064052.tif 000002
【特許請求の範囲】
【請求項１】
吸引風を生成する電動送風機を内蔵する掃除機本体と、塵埃を捕集する集塵容器と、前記集塵容器に形成され前記集塵容器内に含塵空気を吸引するための連通穴とを有し、前記連通穴から前記集塵容器内部に吸引された含塵空気から大きな塵埃を除去する薄板状の粗塵フィルターを上流側に、小さな塵埃を除去する細塵フィルターを下流側にそれぞれ備え、前記粗塵フィルターに、前記集塵容器内部に延出される凸部を形成したことを特徴とする電気掃除機。
【請求項２】
粗塵フィルターの凸部に粗塵フィルターを配設した請求項１に記載の電気掃除機。
【請求項３】
粗塵フィルターの凸部を、集塵容器内部の左右対称に配設し、少なくとも複数配設した請求項１または２に記載の電気掃除機。
【請求項４】
粗塵フィルターの凸部を、略円錐形状とした請求項１〜３のいずれか１項に記載の電気掃除機。
【請求項５】
凸部の略円錐形状の曲面を、前記凸部の中心線または中心から端部に向かう円弧状とした請求項４に記載の電気掃除機。
【発明の詳細な説明】
【技術分野】
【０００１】
本発明は、電気掃除機に関し、特に電気掃除機の集塵容器に関するものである。
【背景技術】
【０００２】
従来のこの種の電気掃除機は、特許文献１に記載されているようなものが一般的であった。この従来の電気掃除機について図６、図７を用いて説明する。図６は、従来の電気掃除機の全体斜視図、図７は、同電気掃除機の要部断面図である。
【０００３】
図６、７において、従来の電気掃除機の掃除機本体１は前方に吸入口２を有する集塵容器収納部３と、後方に電動送風機４を有する電動送風機室４ａを具備し、吸入口２は掃除機本体１とホース５のエアータイト用のパッキンＡ６を具備している。
【０００４】
集塵容器収納部３内には、集塵容器７が収納されている。集塵容器７は、前方に連通穴８が設けられ、後方が開口されている本体部９と、本体部９の後方の開口部９ａを覆うように、メッシュもしくは多孔質に形成された薄板状の粗塵フィルター１０を形成した蓋体Ａ１１と、その下流にプリーツ加工された細塵フィルター１２を形成する蓋体Ｂ１３が後述のヒンジを介して回動自在に本体部９に保持されている。
【０００５】
また、本体部９の連通穴８の内方に向けて円筒部１４が導出され、さらに円筒部１４の先端には、更に延出された舌片状の延出部１５が複数備えられている構成が一般的であった。
【先行技術文献】
【特許文献】
【０００６】
【特許文献１】特開２００８−０２２９３２号公報
【発明の概要】
【発明が解決しようとする課題】
【０００７】
しかしながら、上記特許文献１に記載されたような従来の電気掃除機の構成では、連通穴８から吸引された塵埃は、薄板状の粗塵フィルター１０の表面に堆積して塵埃がある程度の集塵量で目詰まりを起こしていた。その対策として薄板状の粗塵フィルター１０の面積を大きくすることで目詰まりを防止し、より集塵量を大きくする方法が提案されているが、このような構成をとると集塵容器７が大きくなり、それを収納する掃除機本体１も大型化するという課題があった。
【０００８】
本発明は、前記従来の課題を解決するもので、集塵容器を大きくすることなく、フィルターの目詰まりを防止することで、集塵容器の内容量を有効に利用することを可能とするもので、従来と同等の集塵量を確保しつつ集塵容器の小型化が可能となり、電気掃除機そのものの小型化を可能とすることを目的とする。
【課題を解決するための手段】
【０００９】
上記従来の課題を解決するために、本発明の電気掃除機は、吸引風を生成する電動送風機を内蔵する掃除機本体と、塵埃を捕集する集塵容器と、前記集塵容器に形成され前記集塵容器内に含塵空気を吸引するための連通穴とを有し、前記連通穴から前記集塵容器内部に吸引された含塵空気から大きな塵埃を除去する薄板状の粗塵フィルターを上流側に、小さな塵埃を除去する細塵フィルターを下流側にそれぞれ備え、前記粗塵フィルターに、前
記集塵容器内部に延出される凸部を形成したもので、粗塵フィルターの凸部によって粗塵フィルターの開口面積が大きくなり、目詰まりがし難くなり、粗塵フィルターの通気性を従来より長く維持することが可能となる。また、集塵容器の内容量を有効に利用できるようになり、集塵容器の小型化、ひいては、掃除機本体の小型化が可能となる。
【発明の効果】
【００１０】
本発明の電気掃除機は、薄板状の粗塵フィルターの開口面積を大きくすることができるので、目詰まりがし難く、粗塵フィルターの通気性を従来より長く維持することができるもので、性能を向上させ使い勝手の良い電気掃除機を提供することができる。
【図面の簡単な説明】
【００１１】
【図１】本発明の実施の形態１における電気掃除機の全体斜視図
【図２】同電気掃除機の要部断面図
【図３】同電気掃除機の集塵容器の外観を示す斜視図
【図４】同集塵容器の蓋部を開けた状態を示す斜視図
【図５】（ａ）同集塵容器の正面図、（ｂ）図５（ａ）のＡ−Ａ断面図、（ｃ）図５（ａ）のＢ−Ｂ断面図
【図６】従来の電気掃除機の全体斜視図
【図７】同電気掃除機の要部断面図
【発明を実施するための形態】
【００１２】
第１の発明は、吸引風を生成する電動送風機を内蔵する掃除機本体と、塵埃を捕集する集塵容器と、前記集塵容器に形成され前記集塵容器内に含塵空気を吸引するための連通穴とを有し、前記連通穴から前記集塵容器内部に吸引された含塵空気から大きな塵埃を除去する薄板状の粗塵フィルターを上流側に、小さな塵埃を除去する細塵フィルターを下流側にそれぞれ備え、前記粗塵フィルターに、前記集塵容器内部に延出される凸部を形成したもので、粗塵フィルターの凸部によって粗塵フィルターの開口面積が大きくなり、目詰まりがし難くなり、粗塵フィルターの通気性を従来より長く維持することが可能となる。また、集塵容器の内容量を有効に利用できるようになり、集塵容器の小型化、ひいては、掃除機本体の小型化が可能となる。
【００１３】
第２の発明は、特に、第１の発明の粗塵フィルターの凸部に粗塵フィルターを配設したもので、粗塵フィルターの開口面積がより大きくなり、目詰まりが抑えられ、掃除機本体の吸引力が低下しにくく、粗塵フィルターの通気性をより長く維持することが可能となる。
【００１４】
第３の発明は、特に、第１または第２の発明の粗塵フィルターの凸部を、集塵容器内部の左右対称に配設し、少なくとも複数配設させたもので、粗塵フィルターの開口面積がより大きくなり、目詰まりが抑えられ、掃除機本体の吸引力が低下しにくく、粗塵フィルターの通気性をより長く維持することが可能となる。
【００１５】
第４の発明は、特に、第１〜３のいずれか一つの発明の粗塵フィルターの凸部を、略円錐形状としたもので、略円錐形状に付着した塵埃は、すべるように塵埃を引き剥がし、塵埃が粗塵フィルターを閉塞することで生じる吸引力の低下を抑制することが可能となる。
【００１６】
第５の発明は、特に、第４の発明の凸部の略円錐形状の曲面を、前記凸部の中心線または中心から端部に向かう円弧状としたもので、略円錐形状に付着した塵埃は、吸引風と同時に吹き飛ばすように、塵埃を引き剥がし、塵埃が粗塵フィルターを閉塞することで生じる吸引力の低下を抑制することが可能となる。
【００１７】
以下、本発明の実施の形態について、図面を参照しながら説明する。なお、この実施の形態によって本発明が限定されるものではない。  （実施の形態１）
本発明の第１の実施の形態における電気掃除機について、図１〜図５を用いて説明する。図１は、本実施の形態における電気掃除機の全体斜視図、図２は、同電気掃除機の要部断面図、図３は、同電気掃除機の集塵容器の外観を示す斜視図、図４は、同集塵容器の蓋部を開けた状態を示す斜視図、図５（ａ）は、同集塵容器の正面図、図５（ｂ）は、図５（ａ）のＡ−Ａ断面図、図５（ｃ）は、図５（ａ）のＢ−Ｂ断面図である。
【００１８】
図１において、本実施の形態における電気掃除機は、掃除機本体２０と、掃除機本体２０の前方に設けた吸入口２１に接続されるホース２２と、ホース２２の先端に設けられた接続パイプ２３と、接続パイプ２３に接続される延長管２４と、延長管２４の先端に設けられ塵埃を吸引する開口部（図示せず）を有する吸込具２５からなり、掃除機本体２０には、塵埃を吸引するための電動送風機２６と塵埃を集塵する集塵容器２７が内蔵されている。
【００１９】
図１〜図３に示すように、掃除機本体２０は前方に吸入口２１を有する集塵容器収納部２８と、後方に電動送風機２６を有する電動送風機室（図示しない）を具備し、吸入口２１には、掃除機本体２０とホース２２のエアータイト用のパッキンＡ２９を具備している。
【００２０】
また、集塵容器収納部２８の上方は開放状態となっており、開放部上端全周にパッキンＢ３０を有している。後方部を支点として掃除機本体２０に回動自在に設けた集塵容器収納部蓋体３１は、集塵容器収納部２８の上方開口部を覆うものである。
【００２１】
この集塵容器収納部蓋体３１は、パッキンＢ３０と平面が略同形状で集塵容器収納部蓋体３１が閉状態となった時パッキンＢ３０と圧接しエアータイトを行うタイトリブ３２を有している。また、集塵容器収納部２８内には、集塵容器２７が収納されている。
【００２２】
集塵容器２７は、前方に連通穴３３が設けられ、後方が開口されている本体部３４と、本体部３４の後方の開口部３５を覆うように、メッシュもしくは多孔質に形成された平面で薄板状の粗塵フィルター３６を形成した蓋体Ａ３７と、その下流にプリーツ加工された細塵フィルター３８を形成する蓋体Ｂ３９が後述のヒンジを介して回動自在に本体部３４に保持されている。また、細塵フィルター３８に付着した細塵を掃除するためのブラシ４０が本体部３４に設けた収納部４１に着脱自在に備えられている。
【００２３】
また、図４、図５に示すように、集塵容器２７の連通穴３３には、内方に向けて円筒部４２が導出され、さらに円筒部４２の先端には、更に延出された舌片状の延出部４３が、複数備えられている。
【００２４】
一方、蓋体Ａ３７に設けられた粗塵フィルター３６の上流側には閉めた時に連通穴３３と対向する位置に凸状部４４が設けられている。この凸状部４４は、連通穴３３からの吸引風を分散させるために連通穴３３とほぼ同じ径を有する円形状の風受け部４５と、この風受け部４５から断面が末広がり状に突出した上下に伸びた縦長リブ４６から構成されている。
【００２５】
また、蓋体Ａ３７の回動軸部４７と蓋体Ｂ３９の回動軸部４８は、本体部３４の軸部４９に同心軸にて係止されている。さらに、蓋体Ａ３７、蓋体Ｂ３９は係止部５０に本体部３４の爪５１が引っ掛ることで本体部３４に固定され使用時の形態となる。このとき、蓋体Ａ３７の外周前後に形成されたタイトパッキンＡ５２により、本体部３４と蓋体Ｂ３９
とがエアータイトされる構成となっている。
【００２６】
また、メッシュもしくは多孔質に形成された平面で薄板状の粗塵フィルター３６には、集塵容器２７内部に延出される、十字状のリブで形成した凸部５３が配設されている。
【００２７】
上記構成により、電動送風機２６の吸引風により、塵埃は、吸入口２１、連通穴３３を通過し集塵容器２７の本体部３４に到達する。その後、蓋体Ａ３７に形成されたメッシュもしくは多孔質に形成された粗塵フィルター３６により塵埃の粗塵５４が捕集される。メッシュもしくは多孔質に形成された粗塵フィルター３６を、細塵と空気が通過し、次に蓋体Ｂ３９のプリーツ加工された細塵フィルター３８により細塵が捕集され、空気のみが電動送風機室を経て掃除機本体２０外に排出される。
【００２８】
このような集塵の過程において、粗塵フィルター３６に十字状のリブで形成した凸部５３によって、粗塵フィルター３６の表面積が大きくなり、粗塵フィルター３６の表面に付着する塵埃を軽減させ、目詰まりがし難くなり、粗塵フィルター３６の通気性を長く維持することが可能となる。
【００２９】
また、集塵容器２７の内容量を有効に利用することが可能になるので、従来と同等の集塵量を確保しつつ集塵容器２７の小型化が可能となる。
また図２、４において、平面で薄板状の粗塵フィルター３６の凸部５３に粗塵フィルター３６を配設することより、粗塵フィルター３６の開口面積はより大きくなり、目詰まりがより抑えられ、掃除機本体２０の吸引力が低下しにくく、粗塵フィルター３６の通気性をより長く維持することが可能となる。
【００３０】
また、図４において、平面で薄板状の粗塵フィルター３６の凸部５３は、集塵容器２７内部の左右対称に配設されている。
【００３１】
上記構成により、少なくとも複数の凸部５３が配設されることによって、粗塵フィルター３６の開口面積をより大きくすることができ、目詰まりが抑えられ、掃除機本体２０の吸引力が低下しにくく、粗塵フィルター３６の通気性をより長く維持することが可能となる。
【００３２】
図４において、平面で薄板状の粗塵フィルター３６の凸部５３を、略円錐形状５５とすることにより、略円錐形状５５に付着した塵埃は、すべるように塵埃を引き剥がし、塵埃が粗塵フィルター３６を閉塞することで生じる吸引力の低下を抑制することが可能となる。
【００３３】
また、図２、４において、粗塵フィルター３６の凸部５３で、略円錐形状５５の曲面５６を、凸部５３の中心線または中心から端部に向かう円弧状５７としたものである。
【００３４】
上記構成より、略円錐形状５５の曲面５６に付着した塵埃は、吸引風と同時に、粗塵フィルター３６の表面に沿って流れ、表面に堆積した塵埃を吹き飛ばし、塵埃が粗塵フィルター３６を閉塞することで生じる吸引力の低下を抑制することが可能となり、粗塵フィルター３６の通気性を長く維持することが可能となる。
【産業上の利用可能性】
【００３５】
以上のように、本発明に係る電気掃除機の集塵容器は、塵埃の吸い込みに伴う吸引力の低下を抑えることができるとともに、集塵容器の限られた容積内に効率よく塵埃を堆積させることができ、特に家庭、業務用等の各種電気掃除機に有用である。
【符号の説明】
【００３６】
２０  掃除機本体
２６  電動送風機
２７  集塵容器
３３  連通穴
３５  開口部
３６  粗塵フィルター
３８  細塵フィルター
５３  凸部
５５  略円錐形状
５６  曲面
５７  円弧状
【図１】
2016064052.tif 000003
【図２】
2016064052.tif 000004
【図３】
2016064052.tif 000005
【図４】
2016064052.tif 000006
【図５】
2016064052.tif 000007
【図６】
2016064052.tif 000008
【図７】
2016064052.tif 000009